(57)【要約】【課題】既設のサムターン錠に対し、そのまま後付けで手間なく簡単に取り付けることができ、簡略な構造で、しかも低コストのサムターンロック装置を提供する。【解決手段】ロック装置本体Ａを、ドアＤのサムターン摘み２０近傍に着脱自在に組み付ける。ロック装置本体には、サムターン錠Ｓのサムターン摘みが回動されるとサムターン摘みを直接当てて回動を規制するロック位置と、回動を許すロック解除位置との間を移動する可動アーム１１と、ロック要求信号又はロック解除要求信号を受信すると、その要求信号に応じて可動アームをロック位置又はロック解除位置へ駆動させる駆動モータＭ等のアーム駆動手段１２を備える。そして、携帯用の信号発信手段を用いて遠隔操作し、駆動モータに対しロック要求信号又はロック解除要求信号を発信して可動アームを自動的に駆動する構成にする。【選択図】　　　　図１
2004076408.tif 000002
【特許請求の範囲】
【請求項１】
サムターン錠のサムターン摘みが回動されると該サムターン摘みを直接当てて回動を規制するロック位置と、回動を許すロック解除位置との間を移動する可動アームと、ロック要求信号又はロック解除要求信号を信号受信部で受信すると、その要求信号に応じて前記可動アームを前記ロック位置又は前記ロック解除位置へ駆動させるアーム駆動手段とを有するロック装置本体を、ドアの前記サムターン摘み近傍に着脱自在に組み付ける一方、
該ロック装置本体の前記アーム駆動手段に対しロック要求信号又はロック解除要求信号を発信して前記可動アームを遠隔操作する携帯用の信号発信手段を備えてなることを特徴とする、サムターンロック装置。
【請求項２】
前記ロック装置本体は、前記可動アームを、前記ロック位置と前記ロック解除位置の間を回動往復自在に支持してなることを特徴とする、請求項１に記載のサムターンロック装置。
【請求項３】
前記ロック装置本体は、前記可動アームを、前記ロック位置と前記ロック解除位置の間を直線往復移動自在に支持してなることを特徴とする、請求項１に記載のサムターンロック装置。
【発明の詳細な説明】
【０００１】
【発明の属する技術分野】本発明は、ドアの室内側からサムターン摘みを回動操作すると施解錠されるサムターン錠を、室外から、ピッキングなどによって不正に解錠されるのを防止するサムターンロック装置に関する。
【０００２】
【従来の技術】従来、この種のサムターン錠は、ドアの室内側から、鍵（施解錠用キー）を用いずにサムターン摘みを手で回すだけで、簡単に施解錠できるために多用されている反面、室外から、巧みに又は強引に錠前を回して解錠するピッキング等によって不正に解錠される被害が頻発し、深刻な社会問題になっている。
【０００３】
そこで、従来、サムターン錠の不正解錠を防止すべく、各種のサムターンロック装置が提案されている。そして、これら各種のサムターンロック装置の中でも、室外から自動的にサムターン錠をロック可能にする、たとえば図２２および図２３に示すような構造のものが開示されている（特開２０００−１４５２１８号公報参照）。この従来のサムターンロック装置は、室外からリモコンを遠隔操作して電磁アクチュエータ１を作動し、その電磁アクチュエータ１でロック板２をロック位置へ移動し、ロック板２の切り欠き２ａを、サムターン錠３のサムターン軸４に設けた異形断面部４ａに係合させ、これによって、サムターン錠３を、ピッキング等によって不正に解錠されないように自動的にロックする構造になっている。
【０００４】
【発明が解決しようとする課題】ところが、上述のような従来のサムターンロック装置は、そのロック機構がサムターン錠に一部組み込まれた構造であるため、既設の錠前に対し、後から、このようなサムターンロック装置を取り付ける場合には、新たに取付工事を行って、既設の錠前をサムターンロック装置付きの新たなサムターン錠に付け替える必要がある。これでは、付け替えに専門的な知識と技術が必要であるため、簡単に付け替えることができず、付け替え作業に著しく手間と時間を要し、しかもコスト高になるという問題がある。その結果、一般家庭の住宅には普及しにくいという課題があった。
【０００５】
そこで、本発明の目的は、上述した従来の課題を解決し、既設のサムターン錠に対し、そのまま後付けで手間なく簡単に取り付けることができ、簡略な構造で、しかも低コストのサムターンロック装置を提供することにある。
【０００６】
【課題を解決するための手段】請求項１に記載の発明によるサムターンロック装置は、上記課題を解決するために、たとえば以下に示す図示実施の形態のとおり、サムターン錠Ｓ・Ｓ′のサムターン摘み２０・２０′が回動されると該サムターン摘みを直接当てて回動を規制するロック位置と、回動を許すロック解除位置との間を移動する可動アーム１１と、ロック要求信号又はロック解除要求信号を信号受信部１５で受信すると、その要求信号に応じて前記可動アーム１１を前記ロック位置又は前記ロック解除位置へ駆動させるアーム駆動手段１２とを有するロック装置本体Ａを、ドアＤの前記サムターン摘み近傍に着脱自在に組み付ける一方、該ロック装置本体Ａの前記アーム駆動手段１２に対しロック要求信号又はロック解除要求信号を発信して前記可動アーム１１を遠隔操作する携帯用の信号発信手段Ｂを備えてなることを特徴とする。
【０００７】
請求項２に記載の発明は、たとえば以下に示す図示実施の形態のとおり、請求項１に記載のサムターンロック装置において、前記ロック装置本体Ａは、前記可動アーム１１を、前記ロック位置と前記ロック解除位置の間を回動往復自在に支持してなることを特徴とする。
【０００８】
請求項３に記載の発明は、たとえば以下に示す図示実施の形態のとおり、請求項１に記載のサムターンロック装置において、前記ロック装置本体Ａは、前記可動アーム１１を、前記ロック位置と前記ロック解除位置の間を直線往復移動自在に支持してなる。
【０００９】
【発明の実施の形態】以下、図面を参照しつつ、本発明の実施の形態について説明する。
【００１０】
図４に、本発明の一例であるサムターンロック装置の概要を示す。サムターンロック装置は、ロック装置本体Ａと、遠隔操作用の信号発信手段Ｂとを備えてなる。ロック装置本体Ａは、本体取付ケース１０と、本体取付ケース１０で移動自在に支持する可動アーム１１を備える。
【００１１】
本体取付ケース１０には、アーム駆動手段１２を内蔵し、該アーム駆動手段１２に、その駆動をコントロールする駆動制御部１３を電気的に接続し、該駆動制御部１３に電池式の電源１４と、無線信号の信号受信部１５を電気的に接続してなる。図示例のアーム駆動手段１２は、可逆式駆動モータＭと、その回転駆動力を可動アーム１１に伝達するギヤ列Ｇと有してなる。
【００１２】
さらに本体取付ケース１０は、図１〜図３に示すように、電源１４を構成する電池１６、駆動モータＭ、ギヤ列Ｇなどを配設する扁平な一側の収納箱部１０ａと、他側の取付枠部１０ｂとからなり、取付枠部１０ｂの上方に、可動アーム１１の形状に合わせて凹部１０ｃを形成してなる。収納箱部１０ａには、その凹部１０ｃ側の側壁上側に、間隔をあけて軸挿通用に一対の軸穴部１０ｄを有する。
取付枠部１０ｂは、中心部に、サムターン錠Ｓのシリンダ外形に合わせて円形の開口１６を開けて全体に略矩形枠状に形成し、対向する角部にねじ挿通穴１７を穿設し、残りの対向角部に円柱状の磁石１８を、その端面を外部に臨ませて埋設している。また、取付枠部１０ｂの底面には、ねじ挿通穴１７と磁石１８間に両面粘着テープ１９を貼着している。
【００１３】
可動アーム１１は、外形が扁平な略方形状をなし、中央部を横断する細長い嵌合穴１１ａを設けてなる。嵌合穴１１ａは、図示サムターン錠Ｓに有する板片形状のサムターン摘み２０が遊嵌可能なスリット状に開けている。また、可動アーム１１には、嵌合穴１１ａの一側に鍔状の指掛け部１１ｂを設ける一方、反対の他側に軸挿通用の軸穴部１１ｃを設けている。そして、軸穴部１１ｃに挿着した回転軸２１を、本体取付ケース１０の軸穴部１０ｃに嵌挿してヒンジを形成し、該ヒンジを介して本体取付ケース１０に可動アーム１１を連結し、凹部１０ｃに倒したロック位置とロック解除位置（図１中鎖線位置）との間を回動自在に支持してなる。回転軸２１には、一端にギヤ列Ｇの伝達歯車２２を固着し、中間歯車２３を介してモータ歯車２４に噛み合わせて、駆動モータＭの回転駆動力が可動アーム１１に伝達される構成にしている。
【００１４】
一方、上述したロック装置本体Ａに対し、信号発信手段Ｂは、図４に概略的に示すが、信号発生部２５および信号送信部２６等からなる携帯用の小型信号発信器で、例えばボタン操作によりサムターンロックモード又はロック解除モードが選択されると、信号発生部２５は、予め割り当てられた所定周波数のロック要求信号又はロック解除要求信号を信号発生部２６から発信する構成になっている。
【００１５】
上述した構成のサムターンロック装置において、ロック装置本体Ａは、ドアＤに既設のサムターン錠Ｓのサムターン摘み近傍に取り付ける。図示例のサムターン錠Ｓは、錠ケースをドアに彫り込んだタイプでサムターン摘み２０が板片状の彫込錠型である。そこで、ロック装置本体Ａを取り付ける場合は、サムターン錠摘み２０をいったん施錠位置に回動する一方、ロック装置本体Ａは、予め両面粘着テープ１９の表面剥離紙を剥がし、可動アーム１１を回動してロック位置に倒し、嵌合穴１１ａにサムターン摘み２０を嵌合させて位置合わせを行って、粘着テープ１９と磁石１８によってドアＤの板面に接着する。取り付けた後、可動アーム１１を回動してロック解除位置に起し、室内側から、サムターン摘み２０を摘んで、自由に施解錠操作できるようにする。なお、上記ドアＤが木製の場合は、ロック装置本体Ａは、ねじ挿通穴１９を利用してドアＤの板面にねじ止めして取り付ける。
【００１６】
さて、サムターンロック装置を使用するときは、外出時、信号発信手段Ｂと所定の鍵（施解錠用キー）を携帯し、室外から、まず鍵を使ってサムターン錠Ｓを施錠する。それから、信号発信手段Ｂをボタン操作し、サムターンロックモードを選択して信号発信部２６からロック要求信号を発信する。ロック装置本体Ａでは、信号受信部１５でロック要求信号を受信し、駆動制御部１３で所定周波数であると判断すると駆動モータＭに送信し、当該ロック要求信号に基づいて、駆動モータＭを一方向に回転駆動する。そして、回転駆動力をギヤ列Ｍを介し伝達して可動アーム１１をロック解除位置からロック位置へ回動し、嵌合穴１１ａにサムターン摘み２０を嵌合させてロックする。
【００１７】
したがって、室外からピッキング等によってサムターン錠Ｓを無理やり解錠しようとしても、サムターン摘み２０が嵌合穴１１ａにて可動アーム１１に直接当たって回動を規制されるため、不正に解錠されることがない。
【００１８】
他方、外出先から帰宅して正しく解錠するときは、室外から、まず信号発信手段Ｂをボタン操作し、ロック解除モードを選択して信号発信部２６からロック解除要求信号を発信する。ロック装置本体Ａでは、信号受信部１５でロック解除要求信号を受信し、駆動制御部１３で所定周波数であると判断すると駆動モータＭに送信し、当該ロック解除要求信号に応じて、駆動モータＭを他方向に回転駆動して可動アーム１１をロック位置からロック解除位置へ回動し、サムターン摘み２０の回動規制を解除する。それから、所定の前記鍵を使ってサムターン錠Ｓを解錠する。
【００１９】
ところで、本発明によるサムターンロック装置は、ロック装置本体Ａを、以下に図示して説明するように構成することもできる。まずは、たとえば図５および図６に示すようにロック装置本体Ａを構成することができる。
【００２０】
図示他例のロック装置本体Ａにおいて、可動アーム１１は、長手厚板状で、円板形をなす基端部の周縁に一部歯部３０ａを形成し、先端部にサムターン摘み２０に係合可能な切り欠きを設けて、そこにフック部３０ｂを形成した構成にする。符号３０ｃは、可動アーム１１の摘み部である。一方、本体取付ケース１０には、収納箱部１０ａ内の取付枠部１０ｂ寄りに、支軸２９を立設すると共に、支軸２９の取付枠部１０ｂ近くの側壁１０ｅに、可動アーム１１の基端部形状に合わせて逃げ穴３１を開けている。そして、駆動モータＭのモータ歯車２４に歯部３０ａを噛み合わせた状態で、可動アーム１１を支軸２９で揺動自在に軸支し、逃げ穴３１から突出させたフック部３０ｂがサムターン摘み２０に係合するロック位置と、そこから所定角度だけ離間したロック解除位置に回動往復可能に支持してなる。
【００２１】
図示他例において、ロック装置本体Ａを取り付けるときは、取付枠部１０ｂが下側の縦向きに配置し、円形の開口１６にサムターン錠Ｓのシリンダ部を嵌め合わせて、ドアＤの室内側で板面にロック装置本体Ａを着脱可能に接着する。そして、使用時は、室外から、前述したと同様に信号発信手段Ｂを遠隔操作してロック要求信号を発信し、駆動モータＭを一方向に回転駆動する。そして、駆動モータＭの回転駆動力をモータ歯車２４と歯部３０ａの噛み合いを介し伝達して可動アーム１１をロック位置へ揺動させ、フック部３０ｂにサムターン摘み２０を係合してロックする。
【００２２】
一方、サムターン摘み２０のロックを正規に解除するときは、室外から、信号発信手段Ｂをボタン操作し、ロック解除要求信号を発信して駆動モータＭを他方向に回転駆動し、可動アーム１１をロック位置からロック解除位置へ揺動してサムターン摘み２０の回動規制を解除する。
【００２３】
さて、以上の図示サムターン錠Ｓは、彫込錠型でサムターン摘み２０が板片状のものであったが、本発明は、その他の各種サムターン錠に対しても、当然適用することができる。そこで次に、たとえばサムターン摘みの横断面が略卵形状をなす面付箱錠型のサムターン錠に適用する場合について、以下に図示して説明する。
【００２４】
たとえば図７〜図９に示すように、面付箱錠型のサムターン錠Ｓ′は、デッドボルト３５・ラッチボルト３６等を有する面付箱錠本体３７を、ドアＤの室内側板面上に固着している。この面付箱錠本体３７には、略卵形状のサムターン摘み２０′が突設されている。符号３８はノブである。
【００２５】
この他例において、ロック装置本体Ａは、図１〜図４で図示した前記サムターンロック装置のものと比較すると、収納箱部１０ａにおける軸穴部１０ｄ側の側壁１０ｅに、押当て鍔部１０ｆを突設している。可動アーム１１は、板状の係止片４０ａを二股状に伸ばし、それら係止片４０ａ間にサムターン摘み２０′の外形状に合わせて湾曲した係合凹部４０ｂを形成した構成にする。各係止片４０ａは、先端側をＬ状に屈曲させて伸長している。そして、前述したと同様に、本体取付ケース１０にヒンジを介して可動アーム１１を連結し、係合凹部４０ｂがサムターン摘み２０′と係合するロック位置と、それから離間したロック解除位置とに回動往復可能に支持してなる。
【００２６】
このロック装置本体Ａは、面付箱錠本体３７に対し横向きに配置し、本体取付ケース１０の側壁１０ｅと押当て鍔部１０ｆを面付箱錠本体３７の角部に当てがい、サムターン摘み２０′の横でドアＤの室内側板面上に着脱可能に接着する。
そして、使用時は、室外から、前述したと同様に信号発信手段Ｂを遠隔操作し、ロック要求信号を発信して駆動モータＭを一方向に回転駆動し、その回転駆動力をギヤ列Ｇを介し伝達して可動アーム４０をロック解除位置からロック位置へ回動し、係合凹部４０ｂにサムターン摘み２０を係合してロックする。
【００２７】
ところで、以上に例示したサムターンロック装置では、ロック装置本体Ａは、いずれも可動アーム１１を回動往復させてサムターン摘みに対しロック位置とロック解除位置に移動自在としたが、たとえば以下に図示して説明する如く、可動アーム１１を直線往復移動させて同様に移動自在に支持する構成にすることもできる。
【００２８】
図１０〜図１２に示す他例では、可動アーム１１を、たとえば面付箱錠型サムターン錠Ｓ′のサムターン摘み２０′に対し左右にスライドさせて移動自在にロック装置本体Ａで支持した構成する。
【００２９】
図示他例において、可動アーム１１は、長手厚板状で、片側側縁に沿って歯を有するラック部５０ａと、ラック部５０ａから二股状に伸びる係止部５０ｂとを設け、それら係止部５０ｂ間にサムターン摘み２０′の外形状に合わせて湾曲した係合凹部５０ｃを形成してなる。さらに、係止部５０ｂには、その先端を直角に屈曲させてコ状の摘み部５０ｄを設けてなる。一方、本体取付ケース１０には、収納箱部１０ａ内に、可動アーム３０の外形状に合わせてスライド案内板部１０ｇを設けると共に、側壁１０ｅに逃げ穴５１を開けている。そして、駆動モータＭのモータ歯車２４にラック部５０ａの歯を噛み合わせて、可動アーム５０をスライド案内板部１０ｇ内にスライド自在に配設し、逃げ穴５１から突出させた係合部５０ｂがサムターン摘み２０′と係合するロック位置と、それから後退したロック解除位置に直線往復移動可能に支持してなる。
【００３０】
この他例のロック装置本体Ａは、面付箱錠本体３７に対し横向きに配置し、本体取付ケース１０の側壁１０ｅと押当て鍔部１０ｆを面付箱錠本体３７の角部に当てがい、サムターン摘み２０′の横でドアＤの室内側板面上に着脱可能に接着する。そして、使用時は、室外から、前述したと同様に信号発信手段Ｂを遠隔操作し、ロック要求信号を発信して駆動モータＭを一方向に回転駆動する。すると、モータ歯車２４とラック部５０ａの噛み合いを介し、可動アーム１１をロック解除位置からロック位置へ直線移動して前進させ、係合部５０ｂをサムターン摘み２０′に係合してロックする。
【００３１】
なお、可動アーム１１をスライドさせる上記図示例では、サムターン錠が面付箱錠型であったが、サムターン錠が彫込錠型の場合には、ロック装置本体Ａを、たとえば図１３〜図１５に示すように構成することができる。
【００３２】
この図示他例において、可動アーム１１は、片側側縁に沿って歯を有するラック部５５ａの先端に、サムターン摘み２０に係合可能な切り欠きを設けて、そこに係合部５５ｂを形成する。さらに、係合部５５ｂには、その先端側を直角に屈曲させてコ状の摘み部５５ｃを形成してなる。そして同様に、駆動モータＭのモータ歯車２４にラック部５５ａの歯を噛み合わせて、可動アーム１１をスライド案内板部１０ｇ内にスライド自在に配設し、逃げ穴５６から突出させた係合部５５ｂがサムターン摘み２０と係合するロック位置と、そこから後退したロック解除位置に直線往復移動可能に支持してなる。
【００３３】
次に、上記図１０〜図１５では、いずれもロック装置本体Ａをサムターン摘みに対し横向きに設置し、可動アームを左右にスライドさせてサムターン摘みをロックする例を示したが、以下に図示して説明する如く、ロック装置本体Ａをサムターン摘みに対し縦向きに設置した上で、可動アームを同じく左右にスライドさせてサムターン摘みをロックする構成にすることもできる。この図示他例では、サムターン錠として彫込錠型のものを用いている。
【００３４】
図示他例において、ロック装置本体Ａは、たとえば図１６および図１７に示すように構成する。可動アーム１１は、一端縁に沿ってラック部６０ａを横長に設け、反対の他側縁寄りにラック部６０ａと平行に切り欠きを設けて、そこに係合部６０ｂを形成してなる。また、係合部６０ｂとラック部６０ａとの間には、摘み部６０ｃを立設している。
【００３５】
一方、本体取付ケース１０には、収納箱部１０ａの側壁１０ｅに、ラック部６０ａを収納する横長なラック収納部１０ｈを設けている。ラック収納部１０ｈには、収納箱部１０ａとの間に逃げ穴６１を設け、取付枠部１０ｂ側に溝穴６２を開けている。なお、取付枠部１０ｂは、比較的大きな楕円形の枠穴６３を設けている。そして、収納箱部１０ａ内に立設した駆動モータＭのモータ歯車２４にラック部６０ａの歯を噛み合わせて、ラック収納部１０ｈ内に可動アーム１１を左右にスライド自在に配設し、溝穴６２から突出させた係合部６０ｂがサムターン摘み２０と係合するロック位置と、そこから横に離間したロック解除位置に直線往復移動可能に支持してなる。
【００３６】
図示他例において、ロック装置本体Ａを取り付けるときは、取付枠部１０ｂが下側の縦向きに配置し、枠穴６３の片側でサムターン錠Ｓのシリンダ部を嵌め合わせて、ドアＤの室内側で板面にロック装置本体Ａを着脱可能に接着する。そして、使用時は、室外から、前述したと同様に信号発信手段Ｂを遠隔操作し、ロック要求信号を発信して駆動モータＭを一方向に回転駆動する。すると、モータ歯車２４とラック部６０ａの噛み合いを介して可動アーム６０をロック解除位置からロック位置へ水平に直線移動し、係合部６０ｂをサムターン摘み２０に係合してロックする。
【００３７】
さらに次に、上記した図１６および図１７の図示例では、可動アーム１１の係合部６０ｂをサムターン摘み２０と係合状態にしてロックしたが、本発明は、以下に図示して説明するように、サムターン摘み２０が回動する軌道範囲の領域内にまで可動アーム１１を近接させ、その近接したロック位置にてサムターン摘み２０の回動を規制する構成にすることもできる。
【００３８】
この他例のロック装置本体Ａにおいて、可動アーム６５は、図１８および図１９に示すように、横長なラック部６５ａから矩形板状の突当て板部６５ｂを延設し、その突当て部６５ｂ上に摘み部６５ｃを設けた構成にしている。そして、収納箱部１０ａ内に立設した駆動モータＭのモータ歯車２４にラック部６０ａの歯を噛み合わせて、ラック収納部１０ｈ内に可動アーム１１を左右にスライド自在に配設し、溝穴６２から突出させた突当て板部６５ｂが、サムターン摘み２０の軌道範囲内でそれに近接したロック位置と、離間したロック解除位置の間を図中左右にスライドして直線往復移動可能に支持してなる。
【００３９】
そして、使用時は、前述したと同様に信号発信手段Ｂを遠隔操作し、駆動モータＭを一方向に回転駆動すると、モータ歯車２４とラック部６５ａの噛み合いを介して可動アーム１１をロック解除位置からロック位置へ水平にスライドし、突当て板部６５ｂを、サムターン摘み２０に近接した軌道範囲内に位置させる。これによって、サムターン摘み２０が不正に回動されたときには、サムターン摘み２０が突当て板部６５ｂに当たることにより回動を規制する。
【００４０】
なお、上記した図１８および図１９に示した例では、可動アーム１１を左右にスライドさせてサムターン摘み２０に対し軌道範囲内に近接させる非係合式の例を示した。しかし、可動アーム１１が同じ非係合式であっても、たとえば図２０および図２１に示すように、可動アーム１１を、上下にスライドさせてサムターン摘み２０に対し軌道範囲内に近接させて、同様にサムターン摘み２０の回動をロックする構成にすることもできる。
【００４１】
この図示他例の場合は、ロック装置本体Ａにおいて、可動アーム１１は、全体に長手厚板状で、片側側縁に沿って歯を有するラック部７０ａを備え、そのラック部７０ａの先端を直角に屈曲さて、そこに摘み部を兼ねた突当て板部７０ｂを形成した構成にする。
【００４２】
したがって、この図示他例では、使用時、前述したと同様に信号発信手段Ｂを遠隔操作し、駆動モータＭを一方向に回転駆動すると、モータ歯車２４とラック部７０ａの噛み合いを介して可動アーム１１をロック解除位置からロック位置へ図中垂直にスライドさせ、突当て板部７０ｂを、サムターン摘み２０に近接した軌道範囲内に位置させる。これによって、サムターン摘み２０が不正に回動されたときには、サムターン摘み２０が突当て板部７０ｂに当たって回動を規制する。
【００４３】
以上の図示実施の形態では、いずれもアーム駆動手段１２の駆動モータＭを駆動源にして可動アームを駆動させる例を示した。しかし、本発明では、可動アームの駆動源として、駆動モータに限らず、ソレノイドなど他の各種駆動装置を用いて可動アームを駆動させる構成にすることもできる。
【００４４】
なおまた、以上の図示実施の形態では、本発明のサムターンロック装置を、サムターン錠の中でも、彫込錠型や面付箱錠型のものに適用した例を示したが、サムターン摘みを有する他の各種タイプのサムターン錠に対し適用することができるのは、勿論である。
【００４５】
【発明の効果】上述の如く構成した本発明によれば、次のような効果が得られる。
【００４６】
本発明のサムターンロック装置によれば、ロック装置本体を、ドアのサムターン摘みの近傍に組み付けるだけでよく、外出時に、室外から信号発信手段によりロック位置へ可動アームを駆動させる簡単な遠隔操作で、サムターン摘み自体の回動をロックする簡略な構成であることから、室外から、ピッキングなどによって不正に錠前が解錠されるのを確実に防止し防犯上の安全性が高められると共に、既設の各種サムターン錠に対し、新たに付け替えを必要とすることなく、そのまま簡単に手間なく後付けでき、それだけコストも低減させることができる。
【００４７】
しかも、本発明のサムターンロック装置によれば、サムターン摘みが回動されるときに、ロック位置にある可動アームを、別のアダプター等を介さずに直接、サムターン摘みに当てて回動を規制する構成であるため、アダプター等の付属部品が不要になり、それだけ構成が簡略化され、部品点数が余計に増大することを防止することもできる。
【図面の簡単な説明】
【図１】本発明のサムターンロック装置で、可動アームが回動往復動型の嵌合式ロック装置本体をドアに取り付けた状態を示す取付側面図である。
【図２】該ロック装置本体の正面図である。
【図３】該ロック装置本体の斜視図である。
【図４】該サムターンロック装置の全体概略構成を示すブロック図である。
【図５】サムターンロック装置の他例で、可動アームが揺動フック型のロック装置本体を示す正面図である。
【図６】該ロック装置本体をドアに取り付けた状態を示す取付側面図である。
【図７】サムターンロック装置の他例で、可動アームが回動往復動型の係合式ロック装置本体と、ロック状態の面付箱錠型サムターン錠を示す斜視図である。
【図８】該ロック装置本体をドアに取り付けた状態を示す取付側面図である。
【図９】該ロック装置本体と、ロック状態の面付箱錠型サムターン錠を示す正面図である。
【図１０】サムターンロック装置の他例で、可動アームが直線往復移動型の係合式ロック装置本体と、ロック状態の面付箱錠型サムターン錠を示す斜視図である。
【図１１】該ロック装置本体と、ロック状態の面付箱錠型サムターン錠を示す正面図である。
【図１２】該ロック装置本体をドアに取り付けた状態を示す取付側面図である。
【図１３】サムターンロック装置の他例で、可動アームが直線往復移動型の係合式ロック装置本体と、ロック状態の彫込錠型サムターン錠を示す斜視図である。
【図１４】該ロック装置本体と、ロック状態の彫込錠型サムターン錠を示す正面図である。
【図１５】該ロック装置本体をドアに取り付けた状態を示す取付側面図である。
【図１６】サムターンロック装置の他例で、可動アームが左右に直線往復移動型の係合式ロック装置本体と、ロック状態の彫込錠型サムターン錠を示す正面図である。
【図１７】該ロック装置本体をドアに取り付けた状態を示す取付側面図である。
【図１８】サムターンロック装置の他例で、可動アームが左右に直線往復移動型の非係合式ロック装置本体と、ロック状態の彫込錠型サムターン錠を示す正面図である。
【図１９】該ロック装置本体をドアに取り付けた状態を示す取付側面図である。
【図２０】サムターンロック装置の他例で、可動アームが上下に直線往復移動型の非係合式ロック装置本体と、ロック状態の彫込錠型サムターン錠を示す正面図である。
【図２１】該ロック装置本体をドアに取り付けた状態を示す取付側面図である。
【図２２】従来のサムターンロック装置を示す概略正面図である。
【図２３】該サムターンロック装置の縦断面図である。
【符号の説明】
Ａ　　　　　　　ロック装置本体
Ｂ　　　　　　　信号発信手段
Ｄ　　　　　　　ドア
Ｍ　　　　　　　駆動モータ
Ｓ　　　　　　　サムターン錠
１１　　　　　　可動アーム
１２　　　　　　アーム駆動手段
１５　　　　　　信号受信部
２０・２０′　　サムターン摘み
【図１】
2004076408.tif 000003
【図２】
2004076408.tif 000004
【図３】
2004076408.tif 000005
【図４】
2004076408.tif 000006
【図５】
2004076408.tif 000007
【図６】
2004076408.tif 000008
【図７】
2004076408.tif 000009
【図８】
2004076408.tif 000010
【図９】
2004076408.tif 000011
【図１０】
2004076408.tif 000012
【図１１】
2004076408.tif 000013
【図１２】
2004076408.tif 000014
【図１３】
2004076408.tif 000015
【図１４】
2004076408.tif 000016
【図１５】
2004076408.tif 000017
【図１６】
2004076408.tif 000018
【図１７】
2004076408.tif 000019
【図１８】
2004076408.tif 000020
【図１９】
2004076408.tif 000021
【図２０】
2004076408.tif 000022
【図２１】
2004076408.tif 000023
【図２２】
2004076408.tif 000024
【図２３】
2004076408.tif 000025